(57)【特許請求の範囲】
【請求項１】
下地部分と、任意の階調が表現された複数のパッチとを備える測色用パッチを用いて測色を行う測色装置であって、
任意の波長域に対して感度が高い複数のセンサーを備え、前記下地部分の反射率と前記各パッチの反射率とを検出する検出手段と、
前記下地部分の反射率を基準とする前記各パッチの相対的な反射率をもとに同各パッチの測色値を算出する測色値算出手段と、を有することを特徴とする測色装置。
【請求項２】
前記各パッチを測色する前記センサーの組合せは予め対応づけられていることを特徴とする請求項１に記載の測色装置。
【請求項３】
前記測色値算出手段は、
前記算出された相対的な反射率と測色値との関係を規定するデーターを記録しており、このデーターをもとに測色値を求めることを特徴とする請求項１又は請求項２のいずれかに記載の測色装置。
【請求項４】
前記測色値算出手段は、
前記算出された相対的な複数の反射率を補間して各パッチにおける分光反射率を算出し、
前記算出された分光反射率をもとに測色値を求めることを特徴とする請求項１又は請求項２のいずれかに記載の測色装置。
【請求項５】
前記下地部分の反射率は、前記パッチの四近傍の下地部分を検出し、この検出値の平均値により求められることを特徴とする請求項１から請求項４のいずれか一項に記載の測色装置。
【請求項６】
下地部分と、任意の階調が表現された複数のパッチとを備える測色用パッチを用いて測色を行う測色方法であって、
任意の波長域に対して感度が高い複数のセンサーにより、前記下地部分の反射率と前記各パッチの反射率とを検出する検出工程と、
前記下地部分の反射率を基準とする前記各パッチの相対的な反射率をもとに同各パッチの測色値を算出する測色値算出工程と、を有することを特徴とする測色方法。
【請求項７】
コンピューターに、下地部分と、任意の階調が表現された複数のパッチとを備える測色用パッチを用いて各パッチの測色値を取得させる機能を実現させる測色プログラムであって、
任意の波長域に対して感度が高い複数のセンサーを介して前記下地部分の反射率と前記各パッチの反射率とを検出させる検出機能と、
前記下地部分の反射率を基準とする前記各パッチの相対的な反射率をもとに同各パッチの測色値を算出する測色値算出機能と、をコンピューターに実現させる測色プログラム。
【発明の詳細な説明】
【技術分野】
【０００１】
本発明は、反射率をもとに測色を行う測色装置、測色方法、及び測色プログラムに関する。
【背景技術】
【０００２】
従来、キャリブレーション等の色合わせにおいて、測色対象の反射率の分光特性をセンサーにより検知し、この反射率をもとに測色値を算出している。例えば、測色値は任意の光源の分光強度、測色対象の反射率、及び等色関数の掛算により求めることができる。また、精度よく測色値を求めるためには、上記センサーとして可視波長域の全波長域において分光特性を検出することが可能なセンサーが求められる。
【０００３】
上記した可視波長域を広い範囲で検知可能なセンサーは高額であるため、任意の波長域に対して感度の高いセンサー群を組み合わせて測色値を得る装置が開示されている。（例えば、特許文献１，２参照。）。
【先行技術文献】
【特許文献】
【０００４】
【特許文献１】特開２００８−１８０７４２号公報
【特許文献２】特開平１１−２１１６７３号公報
【発明の概要】
【発明が解決しようとする課題】
【０００５】
上記した任意の波長に対して感度が高いセンサーを組み合わせて使用する場合、測色対象の下地色や材質、又は測色対象が載置される構造により検出結果が変化する場合があった。例えば、下地色が白色の用紙にパッチを描画する場合、このパッチを検出して得られた反射成分にはインクによる反射成分と下地（用紙）による反射成分、更には用紙を透過した後反射した反射成分の和により構成される。そのため、インクによる反射成分以外の反射成分が様々な条件により異なると、同一色のパッチを検出する場合でも異なる反射率が検出されることとなるため、均一な測色値を得ることは難しかった。
【０００６】
本発明は、上記課題にかんがみてなされたもので、コストを加味しつつ均一な測色値を得ることが可能な測色装置の提供を目的とする。
【課題を解決するための手段】
【０００７】
上記課題を解決するために、本発明では、下地部分と、任意の階調が表現された複数のパッチとを備える測色用パッチを用いて測色を行う測色装置であって、任意の波長域に対して感度が高い複数のセンサーを備え、前記下地部分の反射率と前記各パッチの反射率とを検出する検出手段と、前記下地部分の反射率を基準とする前記各パッチの相対的な反射率をもとに同各パッチの測色値を算出する測色値算出手段と、を有する構成としてある。
【０００８】
上記のように構成された発明では、検出手段は、任意の波長域に対して感度が高い複数のセンサーを備えており、測色用パッチを測色するに際し、下地部分の反射率と各パッチの反射率とを検出する。そして、測色値算出手段は、下地部分の反射率を基準とする各パッチの相対的な反射率をもとに同各パッチの測色値を算出する。
ここで、各パッチの反射率は下地部分の反射成分を含むものであり、更に、下地部分の反射率は用紙からの反射成分と用紙を透過した後反射した反射成分とを含んで構成される。そのため、各パッチの測色値を下地部分と各パッチの反射率の相対的な関係を用いて算出することで、インクによる反射率以外の成分の影響を相殺することが可能となり、均一な測色値を得ることが可能となる。
【０００９】
また、前記各パッチを測色する前記センサーの組合せは予め対応づけられている構成としてもよい。
上記のように構成された発明では、相対的な反射率と測色値の関係を事前に規定しておくことにより、より簡易な構成によりパッチを測色することができる。
【００１０】
また、相対的な反射率から測色値を求める方法の一例として、前記測色値算出手段は、前記算出された相対的な反射率と測色値との関係を規定するデーターを記録しており、このデーターをもとに測色値を求める構成としてもよい。
【００１１】
さらに、相対的な反射率から測色値を求める方法の一例として、前記測色値算出手段は、前記算出された相対的な複数の反射率を補間して各パッチにおける分光反射率を算出し、算出された分光反射率をもとに測色値を求める構成としてもよい。
【００１２】
そして、下地部分の反射率を求める手法の一例として、前記パッチの四近傍の下地部分を検出し、この検出値の平均値により求められる構成としてもよい。
上記のように構成された発明では、下地部分の反射率のバラツキを吸収してより均一な測色値を得ることができる。
【００１３】
そして、本発明は測色装置のみに限定されず、本発明を適用した測色方法及び測色プログラムに対しても適用することができる。
【図面の簡単な説明】
【００１４】
【図１】ホストＰＣ１０の構成を説明するブロック構成図である。
【図２】ホストＰＣ１０の機能を説明するためのブロック図である。
【図３】プリンター２０の構成を説明するブロック図である。
【図４】本実施形態にかかる測色方法を説明するための模式図である。
【図５】本実施形態にかかる測色用パッチを示す図である。
【図６】本実施形態にかかるキャリブレーションの流れを説明するフローチャートである。
【図７】反射率Ｒｐ（λ）の検出を説明するための図である。
【図８】本実施形態にかかる測色値変換テーブルＭＴを示す図である。
【図９】第２の実施形態にかかるホストＰＣ１０により作成された分光反射率を示す図である。
【発明を実施するための形態】
【００１５】
以下、下記の順序に従って本発明の実施形態を説明する。
１．第１の実施形態：
１．１．測色装置の構成：
１．２．測色方法について：
１．３．キャリブレーションの流れ：
２．第２の実施形態：
３．その他の実施形態：
【００１６】
１．第１の実施形態：
１．１．測色装置の構成： 
以下、図を参照して、この発明に係る測色装置を具体化した第１の実施の形態について説明する。第１の実施形態では、測色装置は、ホストＰＣ１０とプリンター２０により構成されるシステムとして実現される。
【００１７】
図１は、ホストＰＣ１０の構成を説明するブロック構成図である。また、図２は、ホストＰＣ１０の機能を説明するためのブロック図である。そして、図３は、プリンター２０の構成を説明するブロック図である。
【００１８】
ホストＰＣ１０は、ＣＰＵ１１と、ＲＡＭ１２と、ＲＯＭ１３と、ＨＤＤ１４と、各種インターフェース（ＧＩＦ、ＶＩＦ、ＩＩＦ）１５〜１７と、バス１８とを備えて構成され、ＣＰＵ１１によりバス１８を介した統合的な制御が行われる。また、ホストＰＣ１０は、ＨＤＤ１４に記録されたプログラムデーターＰＤを実行することにより、キャリブレーション実行モジュールＭ１、ドライバーモジュールＭ２の機能を実現する。
【００１９】
ＧＩＦ（汎用インターフェース）１５は、例えばＵＳＢ規格に準じたインターフェースであり、プリンター２０と接続することでホストＰＣ１０から出力されるデーターをプリンター２０に送信する。ＶＩＦ（ビデオインターフェース）１６は、ディスプレイ４０と接続することでディスプレイ４０に対して画像を表示させる。ＩＩＦ（入力機器インターフェース）１７は、キーボード５０ａやマウス５０ｂに接続することでキーボード５０ａやマウス５０ｂを操作することで得られる操作入力をホストＰＣ１０に入力させる。
【００２０】
ＨＤＤ１４には、プログラムデーターＰＤ以外にも、印刷処理又はキャリブレーションを行なうためのデーターとして、色変換テーブルＬＵＴと、補正テーブルＡＴと、測色値変換テーブルＭＴと、標準データーＳＤと、パッチデーターＣＰＤと、が記録されている。
【００２１】
キャリブレーション実行モジュールＭ１は、設定管理部Ｍ１ａと、センサー選択部Ｍ１ｂと、測色制御部Ｍ１ｃと、補正データー作成部Ｍ１ｄの機能を備え、ホストＰＣ１０及びプリンター２０により実行されるキャリブレーションを制御する。
【００２２】
。
設定管理部Ｍ１ａは、キャリブレーションにおける各種設定に対応したパラメーターを管理し、このパラメーターに応じてキャリブレーションにおける各種設定を行なう。
【００２３】
センサー選択部Ｍ１ｂは、測色用パッチを測色する際に使用されるセンサーの組合せを選択する。本実施形態では、後述するように測色用パッチにおける任意のパッチＰとこのパッチＰを測色するセンサーの組合せとが予め対応づけられており、センサー選択部Ｍ１ｂは所定のパッチＰが測色対象となると、このパッチＰに対応したセンサーの組合せを指定するための信号をプリンター２０に出力する。
【００２４】
測色制御部（測色値算出手段）Ｍ１ｃは、キャリブレーションにおいて実行される測色処理を統合的に制御する。即ち、プリンター２０に対して測色用パッチの反射率Ｒｐ（λ）を検出させ、この検出結果をもとに各パッチにおける測色値を求める。
【００２５】
補正データー作成部Ｍ１ｄは、測色結果をもとに補正テーブルＡＴの各値を補正する。この補正テーブルＡＴには、色変換テーブルＬＵＴを用いて設定されたインクの組合せ（入力インク量階調値）と、プリンター２０に送信されるインクの組合せ（出力インク量階調値）との関係を規定するテーブルである。そのため、補正データー作成部Ｍ１ｄは、測色結果をもとに補正テーブルＡＴの出力インク階調値を補正することでキャリブレーションを実行する。
【００２６】
ドライバーモジュールＭ２は、サイズ変換部Ｍ２ａと、色変換部Ｍ２ｂと、ハーフトーン部Ｍ２ｃと、印刷データー生成部Ｍ２ｄとの機能を備え、ホストＰＣ１０における印刷処理を制御する。
【００２７】
サイズ変換部Ｍ２ａは、印刷対象となる画像データーＩＤに対して後段の部位が処理可能なよう画素数変換処理を行なう。また、色変換部Ｍ２ｂは、色変換テーブルＬＵＴをもとに画像データーＩＤをインク量データーＩＩＤに変換する。ここで、色変換テーブルＬＵＴには、画像データーＩＤを構成する色要素（Ｒ，Ｇ，Ｂ）と、プリンター２０が吐出するＣＭＹＫのインク量とが対応づけて記録されており、インク量データーＩＩＤは、画像データーＩＤの色要素が示す階調を表現するインク量（ＣＭＹＫの各インクの組合せ）を指示するデーターである。そして、ハーフトーン部Ｍ２ｃはインク量データーＩＩＤから、ディザ法や誤差拡散法を用いて画素毎のインクの記録の有無やインク量を変換したハーフトーン画像を取得する。印刷データー生成部Ｍ２ｄは、ハーフトーン画像をプリンター２０が処理可能なバンド単位の印刷データーに変換する。
【００２８】
プリンター２０は、ＡＳＩＣ２１と、印刷ヘッド２２と、吐出制御回路２４と、印刷ヘッド駆動制御回路２５と、用紙搬送機構２７と、ＧＩＦ２８と、バス２９とを備えて構成され、ＡＳＩＣ２１によりバス２９を介した統合的な制御が行われる。また、本実施形態にかかるプリンター２０は、上記構成に加えて、測色ヘッド（検出手段）２３と、測色ヘッド駆動制御回路２６とを備えて構成され、用紙に印刷したパッチＰを測色ヘッド２３により測色することができる。
【００２９】
印刷ヘッド２２は、印刷ヘッド駆動制御回路２５の制御により主走査方向に往復運動を行う機構であり、吐出制御回路２４により制御されて、図示しない各インクカートリッジ（Ｃ，Ｍ，Ｙ，Ｋ）から供給されたインクを印刷用紙に吐出する。また、ＧＩＦ２８は、ホストＰＣ１０のＧＩＦ１５と接続することで、ホストＰＣ１０との間で通信を確立する。
【００３０】
本実施形態にかかる測色ヘッド２３は印刷ヘッド２２に取り付けられており、測色ヘッド駆動制御回路２６の制御のもと、印刷ヘッド２２における主走査方向の往復運動に合わせて移動する。また、測色ヘッド２３は、検出する波長域の感度が異なる３つのセンサー２３ａ，２３ｂ，２３ｃを備えて構成される。ここで、センサー２３ａは高波長域で最も検出感度が高くなるセンサーであり、センサー２３ｂは中間波長域で最も検出感度が高くなるセンサーであり、センサー２３ｃは低波長域で最も検出感度が高くなるセンサーである。そのため、各センサー２３ａ，２３ｂ，２３ｃは、任意の測色条件において各波長域における反射率Ｒ(λ)を検出することができる。
【００３１】
用紙搬送機構２７は、被印刷対象となる用紙を搬送するための機構であり、図示しない搬送ローラーや、この搬送ローラー間に掛け合わされた搬送ベルト、及び印刷実行時に用紙を載置するプラテンＰＲとを備えて構成される。また、プラテンＰＲは搬送される用紙が接触する載置面に凹凸が形成されており、搬送される用紙との摩擦を低減させる。
【００３２】
１．２．測色方法について：
図４は、本実施形態にかかる測色方法を説明するための模式図である。また、図５は、本実施形態にかかる測色用パッチを示す図である。以下、図４及び図５をもとに本実施形態にかかる測色方法について説明を行う。
【００３３】
測色用パッチは、パッチデーターＣＰＤに基づいて用紙に印刷される画像であり、インクが記録されない下地領域Ａｗと、パッチＰが形成されたパッチ領域Ａｐとで構成されている。また、パッチ領域Ａｐは、任意のインク量により所定のインク量階調を備えるよう形成されたパッチＰを直列状に配置するパッチ列を複数備えて構成される。ここで、各パッチＰは、標準データーＳＤにより規定される色彩値を表現するようそのインク量階調が設定されている。そして、下地領域Ａｗは、パッチ領域ＡｐにおけるパッチＰが形成されない領域であり、隣接する各パッチＰの間（即ち、パッチＰの上下左右に位置する隙間）として形成されている。
【００３４】
上記した測色用パッチを用いた測色方法において、本実施形態では、下地領域Ａｗの反射率と、パッチ領域Ａｐにおける反射率との比をもとにパッチの測色値を求める。図４に示すように、各パッチの反射成分は、インクの反射成分、用紙の反射成分、更には用紙を透過してプラテンＰＲ等により反射する反射率との総和となる。また、用紙の下地色が材質等の関係から変化する場合やプラテンＰＲ等の形状によっても各反射成分はそれぞれ変化する。そのため、測色ヘッド２３が検出する反射率Ｒｐ（λ）は同一のインク階調を備えるパッチであっても、変動する場合がある。
【００３５】
そこで、本実施形態では任意のパッチＰにおける測色値を検出するに際し、パッチ領域Ａｐで検出した反射率Ｒｐ（λ）と下地領域Ａｗで検出した反射率Ｒｗ（λ）の比Ｒｒｅをもとに測色値を求めることで、各反射成分の変動を吸収して、均一な測色値が算出できるようにしている。
【００３６】
１．３．キャリブレーションの流れ：
図６は、本実施形態にかかるキャリブレーションの流れを説明するフローチャートである。以下、図６を参照して本実施形態にかかる測色装置を用いたキャリブレーションを説明する。
【００３７】
ホストＰＣ１０にキャリブレーションを実行するための条件が成立すると、ステップＳ１では、ドライバーモジュールＭ２は、ＲＡＭ１２にパッチデーターＣＰＤを記録し、このパッチデーターＣＰＤを印刷データーに変更する。
【００３８】
ステップＳ２では、ドライバーモジュールＭ２は、変換された印刷データーを用いて任意のパッチＰを用紙に印刷していく。
【００３９】
ステップＳ３では、センサー選択部Ｍ１ｂは、測色ヘッド２３が備えるセンサー２３ａ，２３ｂ，２３ｃの中から、今から検出を行うパッチＰに対応するセンサー２３ａ，２３ｂ，２３ｃの組合せを選択する。例えば、パッチＰとこのパッチＰの反射率Ｒｐ（λ）を検出するセンサーの組合せは予めテーブル等により設定されており、センサー選択部Ｍ１ｂはこのテーブルをもとにセンサー２３ａ，２３ｂ，２３ｃの組合せを判断する。ここで、パッチＰとセンサーの組合せは、検出対象となるパッチＰの反射成分の特性（例えば、ピーク波長の値）に応じてその組合せを設定すればよい。上記構成とすることでより簡易的な構成で測色値を得ることが可能となる。
【００４０】
ステップＳ４では、測色制御部Ｍ１ｃは、プリンター２０に対して、選択されたセンサーの組合せにより任意のパッチＰの反射率Ｒｐ（λ）を検出させる。
【００４１】
図７は、反射率Ｒｐ（λ）の検出を説明するための図である。例えば、センサー２３ａ，２３ｂ，２３ｃの組合せをもとに任意のパッチＰの反射率Ｒｐ（λ）を検出したとする。このとき、反射率Ｒｐ（λ）を検出する一例として、センサー２３ａ，２３ｂ，２３ｃにより検出された検出値（ｄｅ１，ｄｅ２，ｄｅ３）を補間して結ぶ領域の面積Ｓを反射率Ｒｐ（λ）として検出してもよい。
【００４２】
ステップＳ５では、測色制御部Ｍ１ｃは、プリンター２０に対して、下地領域Ａｗの反射率Ｒｗ（λ）を検出させる。下地領域Ａｗの反射率Ｒｗ（λ）の検出方法の一例として、下記に示す（式１）をもとにパッチＰの周囲の四近傍の反射率の平均値を反射率Ｒｗ（λ）として算出しておもよい。上記構成とすることで、下地色のバラツキを相殺することができ、均一な測色値を得ることができる。
Ｒｗ（λ）＝（Ｒｗｆ（λ）＋Ｒｗｂ（λ）＋Ｒｗｒ（λ）＋Ｒｗｌ（λ））／４  …（式１）
ただし、Ｒｗｆ（λ）は下地領域Ａｗの図４中上部の反射率、Ｒｗｂ（λ）は下地領域Ａｗの図４中下部の反射率、Ｒｗｒ（λ）は下地領域Ａｗの図４中右部の反射率、Ｒｗｌ（λ）は下地領域Ａｗの図４中左部の反射率である。
【００４３】
ステップＳ６では、測色制御部Ｍ１ｃは、ステップＳ５で検出した下地領域Ａｗの反射率Ｒｗ（λ）と、パッチ領域Ａｐの反射率Ｒｐ（λ）との比Ｒｒｅを下記に示す（式２）をもとに算出し、算出した比Ｒｒｅから測色値を求める。
Ｒｒｅ＝Ｒｐ（λ）／Ｒｗ（λ）  …  （式２）
【００４４】
図８は、本実施形態にかかる測色値変換テーブルＭＴを示す図である。測色値変換テーブルＭＴには、反射率の比Ｒｒｅとこの反射率の比Ｒｒｅの各値に対応した測色値とが対応づけて記録されている。具体的には、測色値変換テーブルＭＴには、反射率の比Ｒｒｅとインク量階調が対応付けて記録されており、測色制御部Ｍ１ｃは、測色値変換テーブルＭＴから求められた比Ｒｒｅに対応するインク量階調を取得する。なお、この測色値変換テーブルＭＴは、センサー２３ａ，２３ｂ，２３ｃの組合せ毎に設定されているものとする。
【００４５】
すべてのパッチＰについて測色が終了していない場合（ステップＳ７：ＮＯ）、測色制御部Ｍ１ｃは、測色するパッチＰを変更させて（ステップＳ８）、ステップＳ２からステップＳ６の処理を繰返す。
【００４６】
全てのパッチＰについて測色が終了した場合（ステップＳ７：ＹＥＳ）、ステップＳ９において、補正データー作成部Ｍ１ｄはステップＳ６により求められた測色値と標準データーＳＤとの値を比較し、両者に差がある場合は補正テーブルＡＴの修正を行う。この補正テーブルＡＴの補正により、出力インク階調が修正されキャリブレーションが実行される。
【００４７】
以上説明したように、本実施形態では、測色用パッチを測色するに際し、下地部分の反射率と各パッチの反射率とを検出し、下地部分の反射率を基準とする各パッチの相対的な反射率をもとに同各パッチの測色値を算出する。そのため、インクによる反射率以外の成分の影響を相殺することが可能となり、均一な測色値を得ることが可能となる。
【００４８】
２．第２の実施形態：
上記した第１の実施形態では、反射率の比Ｒｒｅと測色値との関係を予め規定したが、測色ヘッド２３が備えるセンサー数が多い場合は、各センサーが検出した離散的な反射率を補間して分光反射率の特性を求め、この分光反射率の特性により任意のパッチにおける測色値を求めてもよい。
【００４９】
図９は、第２の実施形態にかかるホストＰＣ１０により作成された分光反射率を示す図である。図９では、感知する波長域が異なる７つのセンサーにより各波長（ｗｌ１〜ｗｌ７）における相対的な反射率（比Ｒｒｅ）が検出されている。そのため、測色制御部Ｍ１ｃは検出された離散的な反射率と下地領域Ａｗとの反射率の比Ｒｒｅを算出し、各比Ｒｒｅを補間することで任意のパッチＰにおける分光反射率に相等する値を算出している。
【００５０】
ここで、測色値をＸＹＺ表色系における値（Ｘ，Ｙ，Ｚ）とした場合、以下に示す（式３）により測色値を算出することができる。
Ｘ＝ΣＳ（λ）・Ｒｐ（λ）・ｘ（λ）
Ｙ＝ΣＳ（λ）・Ｒｐ（λ）・ｙ（λ）        …（式３）
Ｚ＝ΣＳ（λ）・Ｒｐ（λ）・ｚ（λ）
なお、Σは可視光３８０ｎｍ〜７５０ｎｍにおける各波長λの総和、Ｓ（λ）は、任意の光源における分光強度、ｘ（λ），ｙ（λ），ｚ（λ）は等色関数である。
【００５１】
図９では、補間によって求められた面積（図中斜線及び実線で囲まれた面積）が分光反射率Ｒｐ（λ）となるため、この面積値を上記（式３）に代入することで任意のパッチＰにおける測色値（Ｘ，Ｙ，Ｚ）を簡易的に算出することができる。上記構成とすることで、センサーの数は増加するものの全波長を検出するためのセンサーに比べてコストを抑制することが可能となり、また測色値を第１の実施形態にかかる測色値に比べて精度良く求めることが可能となる。以上第２の実施形態を説明した。
【００５２】
３．その他の実施形態：
本発明は様々な実施形態が存在する。
測色装置としてホストＰＣ１０とプリンター２０により構成されたシステムを示すことは一例であり、プリンター２０単体で本実施形態にかかる機能を実現するものであってもよい。この場合、プリンター２０のＡＳＩＣ２１がホストＰＣ１０におけるキャリブレーション実行モジュールＭ１、ドライバーモジュールＭ２の各機能を実現する。
【００５３】
また、測色用パッチは、下地領域Ａｗとパッチ領域Ｐｗを備えるものであればどのようなも配置構成を備えるものでもよく、本実施形態に記載されたものに限定されない。
【００５４】
なお、本発明は上記実施例に限られるものでないことは言うまでもない。即ち、上記実施例の中で開示した相互に置換可能な部材および構成等を適宜その組み合わせを変更して適用すること、上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００５５】
１０…ホストＰＣ、１１…ＣＰＵ、１２…ＲＡＭ、１３…ＲＯＭ、１４…ＨＤＤ、１５…ＧＩＦ、１６…ＶＩＦ、１７…ＩＩＦ、１８…バス、２０…プリンター、２１…ＡＳＩＣ、２２…印刷ヘッド、２３…測色ヘッド、２３ａ，２３ｂ，２３ｃ…センサー、２４…吐出制御回路、２５…印刷ヘッド駆動制御回路、２６…測色ヘッド駆動制御回路、２７…用紙搬送機構、２８…ＧＩＦ，２９…バス、４０…ディスプレイ、５０ａ…キーボード、５０ｂ…マウス、Ｍ１…キャリブレーション実行モジュール、Ｍ１ａ…設定管理部、Ｍ１ｂ…センサー選択部、Ｍ１ｃ…測色制御部、Ｍ１ｄ…補正データー作成部、Ｍ２…ドライバーモジュール、Ｍ２ａ…サイズ変換部、Ｍ２ｂ…色変換部、Ｍ２ｃ…ハーフトーン部、Ｍ２ｄ…印刷データー生成部
【図１】
0005429000.tif 000002
【図２】
0005429000.tif 000003
【図３】
0005429000.tif 000004
【図４】
0005429000.tif 000005
【図５】
0005429000.tif 000006
【図６】
0005429000.tif 000007
【図７】
0005429000.tif 000008
【図８】
0005429000.tif 000009
【図９】
0005429000.tif 000010